(57)【要約】【課題】大型化することなく、基板に固定される際の接着剤の付着による光学性能の低下を防ぐことができる、光束制御部材を提供すること。【解決手段】本発明に係る光束制御部材は、入射領域および出射領域を有する。入射領域は、入射面、反射面および稜線を有する凸条を複数含む。最も外側に配置されている反射面は、入射面で入射した光を出射領域に向けて反射させる複数の分割反射面と、隣接した２つの分割反射面の間であって、入射面で入射した光の進行方向に対して死角の位置に配置された１または２以上の段差面と、を有する。最も外側に配置されている凸条は、中心軸に沿う方向に突出し、かつ中心軸に沿う方向において、その先端部が光束制御部材の発光素子側の端部よりも出射領域側にある突起部を有する。【選択図】図８
2015212762.tif 000002
【特許請求の範囲】
【請求項１】
発光素子から出射された光の配光を制御する光束制御部材であって、
発光素子から出射された光を入射させる入射領域と、
前記入射領域の反対側に形成され、前記入射領域で入射した光を出射させる出射領域と、
を有し、
前記入射領域は、その内側に配置され、前記発光素子から出射された光の一部を入射させる入射面と、その外側に配置され、入射した光を前記出射領域に向けて反射させる反射面と、前記入射面および前記反射面の間に配置された稜線とを有し、前記光束制御部材の中心軸を囲むように配置された複数の凸条を含み、
最も外側に配置されている前記反射面は、
互いに離間して配置された、前記入射面で入射した光を前記出射領域に向けて反射させる複数の分割反射面と、
隣接した前記２つの分割反射面の間であって、前記入射面で入射した光の進行方向に対して死角の位置に配置された１または２以上の段差面と、
を有し、
最も外側に配置されている前記凸条は、前記段差面から前記中心軸に沿う方向に突出し、かつ前記中心軸に沿う方向において、その先端部が前記光束制御部材の前記発光素子側の端部よりも前記出射領域側にある突起部を有する、
光束制御部材。
【請求項２】
前記段差面は、前記突起部の内側に隣接して配置されている第１段差面と、前記突起部の外側に隣接して配置されている第２段差面とを有し、
前記中心軸に沿う方向において、前記第２段差面と前記突起部の先端部との間隔は、前記第１段差面と前記突起部の先端部との間隔よりも長い、
請求項１に記載の光束制御部材。
【請求項３】
前記中心軸に沿う方向における前記第１段差面と前記第２段差面との間隔は、１０μｍ以上かつ５０μｍ以下である、請求項２に記載の光束制御部材。
【請求項４】
前記段差面は、前記突起部の内側に隣接して配置されている第１段差面と、前記突起部の外側に隣接して配置されている第２段差面とを有し、
前記中心軸に沿う方向において、前記第１段差面と前記突起部の先端部との間隔および前記第２段差面と前記突起部の先端部との間隔は、同じである、
請求項１に記載の光束制御部材。
【請求項５】
前記突起部は、前記段差面の外周部に配置されている、請求項１に記載の光束制御部材。
【請求項６】
基板と、
前記基板上に配置された支持部と、
前記基板上に配置された発光素子と、
前記基板上に前記発光素子の光軸とその中心軸が合致するように配置され、前記支持部に固定された、請求項１〜５のいずれか一項に記載の光束制御部材と、
を有し、
前記支持部および前記突起部は、接着されている、
発光装置。
【請求項７】
請求項６に記載の発光装置と、
前記発光装置からの出射光を拡散させつつ透過させるカバーと、
を有する、照明装置。
【発明の詳細な説明】
【技術分野】
【０００１】
本発明は、発光素子から出射された光の配光を制御する光束制御部材、この光束制御部材を有する発光装置および照明装置に関する。
【背景技術】
【０００２】
近年、省エネルギーや小型化の観点から、撮像カメラ用の発光装置として、発光ダイオード（以下「ＬＥＤ」ともいう）を光源とする発光装置（ＬＥＤフラッシュ）が使用されるようになってきた。このような発光装置としては、ＬＥＤと、フレネルレンズとを組み合わせたものがよく知られている。
【０００３】
一般的に、ＬＥＤとフレネルレンズとを組み合わせる方法として、ＬＥＤを実装された基板上に接着剤を用いてフレネルレンズを固定する方法が採用されている。このとき、フレネルレンズは、基板に接合されている支持部を介して基板に固定される。このように接着剤を用いてフレネルレンズを固定する場合、接着剤がフレネルレンズの光学面に付着してしまい、発光装置の光学性能が低下するおそれがある。このような問題を解決する手段として、被接着部が光学面の外側に設けられたフレネルレンズが提案されている（例えば、特許文献１参照）。
【０００４】
図１は、特許文献１に記載のフレネルレンズ１０の構成を示す模式図である。図１Ａは、フレネルレンズ１０の側面図であり、図１Ｂおよび図１Ｃは、フレネルレンズ１０を、支持台２０に接着する様子を示す側面図である。図１Ａに示されるように、フレネルレンズ１０は、フレネルレンズ１０を支持するための基板１２と、基板１２上に配置されたレンズ部１４と、基板１２上においてレンズ部１４の外側に配置された突出部１６とを有する。図１Ｂに示されるように、フレネルレンズ１０を支持台２０に接着する場合、まず、基板１２上において突出部１６よりも外側に位置する支持台取付面１８に接着剤３０を塗布する。次いで、図１Ｃに示されるように、支持台２０の端面を支持台取付面１８に押し当てた状態で、接着剤３０を硬化させることにより、フレネルレンズ１２と支持台２０とを接着することができる。このとき、突出部１６は、接着剤３０が押し広げられてレンズ部１４に到達することを阻止する。これにより、接着剤３０の付着による光学性能の低下を防ぐことができる。
【先行技術文献】
【特許文献】
【０００５】
【特許文献１】特開平３−２８９６０２号公報
【発明の概要】
【発明が解決しようとする課題】
【０００６】
しかしながら、特許文献１に記載のフレネルレンズ１０（光束制御部材）には、支持台取付面１８（被接着部）がレンズ部１４（光学面）の外側に配置されているため、フレネルレンズ１０が大きくなってしまうという問題がある。
【０００７】
本発明は、かかる点に鑑みてなされたものであり、大型化することなく、接着剤の付着による光学性能の低下を防ぐことができる光束制御部材を提供することを目的とする。また、本発明は、この光束制御部材を有する発光装置および照明装置を提供することも目的とする。
【課題を解決するための手段】
【０００８】
本発明者らは、光束制御部材の光学面において発光素子からの光の死角になる位置に、被接着部となる突起部を形成することで上記課題を解決できることを見出し、さらに検討を加えて本発明を完成させた。
【０００９】
すなわち、本発明は、以下の光束制御部材に関する。
【００１０】
［１］発光素子から出射された光の配光を制御する光束制御部材であって、発光素子から出射された光を入射させる入射領域と、前記入射領域の反対側に形成され、前記入射領域で入射した光を出射させる出射領域と、を有し、前記入射領域は、その内側に配置され、前記発光素子から出射された光の一部を入射させる入射面と、その外側に配置され、入射した光を前記出射領域に向けて反射させる反射面と、前記入射面および前記反射面の間に配置された稜線とを有し、前記光束制御部材の中心軸を囲むように配置された複数の凸条を含み、最も外側に配置されている前記反射面は、互いに離間して配置された、前記入射面で入射した光を前記出射領域に向けて反射させる複数の分割反射面と、隣接した前記２つの分割反射面の間であって、前記入射面で入射した光の進行方向に対して死角の位置に配置された１または２以上の段差面と、を有し、最も外側に配置されている前記凸条は、前記段差面から前記中心軸に沿う方向に突出し、かつ、前記中心軸に沿う方向において、その先端部が前記光束制御部材の前記発光素子側の端部よりも前記出射領域側にある突起部を有する、光束制御部材。
［２］前記段差面は、前記突起部の内側に隣接して配置されている第１段差面と、前記突起部の外側に隣接して配置されている第２段差面とを有し、前記中心軸に沿う方向において、前記第２段差面と前記突起部の先端部との間隔は、前記第１段差面と前記突起部の先端部との間隔よりも長い、［１］に記載の光束制御部材。
［３］前記中心軸に沿う方向における前記第１段差面と前記第２段差面との間隔は、１０μｍ以上かつ５０μｍ以下である、［２］に記載の光束制御部材。
［４］前記段差面は、前記突起部の内側に隣接して配置されている第１段差面と、前記突起部の外側に隣接して配置されている第２段差面とを有し、前記中心軸に沿う方向において、前記第１段差面と前記突起部の先端部との間隔および前記第２段差面と前記突起部の先端部との間隔は、同じである、［１］に記載の光束制御部材。
［５］前記突起部は、前記段差面の外周部に配置されている、［１］に記載の光束制御部材。
【００１１】
また、本発明は、以下の発光装置に関する。
【００１２】
［６］基板と、前記基板上に配置された支持部と、前記基板上に配置された発光素子と、前記基板上に前記発光素子の光軸とその中心軸が合致するように配置され、前記支持部に固定された、［１］〜［５］のいずれか一項に記載の光束制御部材と、を有し、前記支持部および前記突起部は、接着されている、発光装置。
【００１３】
さらに、本発明は、以下の照明装置に関する。
【００１４】
［７］［６］に記載の発光装置と、前記発光装置からの出射光を拡散させつつ透過させるカバーと、を有する、照明装置。
【発明の効果】
【００１５】
本発明に係る光束制御部材は、大型化することなく、基板に固定される際の接着剤の付着による光学性能の低下を防ぐことができる。したがって、本発明に係る発光装置および照明装置は、大型化することなく、高い歩留まりで製造されうる。
【図面の簡単な説明】
【００１６】
【図１】図１Ａは、特許文献１に記載のフレネルレンズの側面図であり、図１Ｂおよび図１Ｃは、特許文献１に記載のフレネルレンズを支持台に接着する様子を示す側面図である。
【図２】図２Ａ、Ｂは、実施の形態１に係る発光装置の断面図である。
【図３】図３は、実施の形態１に係る光束制御部材の斜視図である。
【図４】図４Ａ〜Ｃは、実施の形態１に係る光束制御部材の構成を示す図である。
【図５】図５Ａ、Ｂは、実施の形態１に係る光束制御部材の屈折部、フレネルレンズ部および最外レンズ部を省略した底面図である。
【図６】図６Ａ〜Ｃは、実施の形態１に係る光束制御部材の断面図である。
【図７】図７は、第２凸条および角部の配置を説明するための図である。
【図８】図８Ａ、Ｂは、光束制御部材における光路図の一部である。
【図９】図９は、実施の形態１に係る照明装置の断面図である。
【図１０】図１０は、実施の形態２に係る光束制御部材の斜視図である。
【図１１】図１１Ａ〜Ｃは、実施の形態２に係る光束制御部材の構成を示す図である。
【図１２】図１２は、実施の形態３に係る光束制御部材の斜視図である。
【図１３】図１３Ａ〜Ｃは、実施の形態３に係る光束制御部材の構成を示す図である。
【図１４】図１４は、実施の形態４に係る光束制御部材の斜視図である。
【図１５】図１５Ａ〜Ｃは、実施の形態４に係る光束制御部材の構成を示す図である。
【図１６】図１６Ａ〜Ｃは、実施の形態４に係る光束制御部材の断面図である。
【発明を実施するための形態】
【００１７】
以下、本発明の実施の形態について、図面を参照して詳細に説明する。
【００１８】
［実施の形態１］
（光束制御部材および発光装置の構成）
図２Ａは、本発明の実施の形態１に係る発光装置１００の断面図である。図２Ｂは、図２Ａにおいて破線で示される領域の部分拡大断面図である。図２Ａに示されるように、発光装置１００は、基板１１０、発光素子１２０、支持部１３０および光束制御部材１４０を有する。
【００１９】
基板１１０は、発光素子１２０および光束制御部材１４０を支持する。基板１１０の種類は、特に限定されない。基板１１０は、例えばガラスコンポジット基板やガラスエポキシ基板などである。
【００２０】
発光素子１２０は、発光装置１００の光源であり、基板１１０上に固定されている。発光素子１２０は、例えば白色発光ダイオードなどの発光ダイオード（ＬＥＤ）である。
【００２１】
支持部１３０は、基板１１０上に固定されており、光束制御部材１４０を所定の位置に位置決めする（支持する）。支持部１３０の先端部には、光束制御部材１４０が接着される。支持部１３０の高さは、発光装置１００の特性および光束制御部材１４０の特性に応じて適宜設定されうる。また、支持部１３０は、中心軸ＣＡを全周に亘って囲うように形成されていてもよいし、全周のうちの一部にのみ形成されていてもよい。支持部１３０の形状は、光束制御部材１４０の突起部１８１（後述）のみと接触した状態で光束制御部材１４０を支持することができれば特に限定されない。支持部１３０の形状は、例えば角柱や円柱、角筒、円筒などである。本実施の形態では、支持部１３０の形状は、四角柱である。支持部１３０は、基板１１０と一体化されていてもよいし、別体であってもよい。支持部１３０の数も、光束制御部材１４０を支持することができれば特に限定されない。本実施の形態では、支持部１３０の数は、４つである。
【００２２】
光束制御部材１４０は、発光素子１２０から出射された光の配光を制御する。光束制御部材１４０は、その中心軸ＣＡが発光素子１２０の光軸ＬＡに合致するように、支持部１３０上に接着剤１３１を用いて固定される。光束制御部材１４０の材料は、所望の波長の光を通過させ得るものであれば特に限定されない。光束制御部材１４０の材料は、例えばポリメタクリル酸メチル（ＰＭＭＡ）やポリカーボネート（ＰＣ）、エポキシ樹脂（ＥＰ）などの光透過性樹脂、シリコーン樹脂、またはガラスである。光束制御部材１４０は、例えば射出成形により製造することができる。
【００２３】
図３〜図７は、実施の形態１に係る光束制御部材１４０の構成を示す図である。図３は、実施の形態１に係る光束制御部材１４０の斜視図である。図４Ａは、光束制御部材１４０の平面図であり、図４Ｂは、光束制御部材１４０の底面図であり、図４Ｃは、光束制御部材１４０の側面図である。図５Ａは、第１仮想四角形Ｓ１のみを示した光束制御部材１４０の底面図であり、図５Ｂは、第１仮想四角形Ｓ１および第２仮想四角形Ｓ２のみを示した光束制御部材１４０の底面図である。図６Ａは、図４Ｂに示されるＡ−Ａ線の断面図であり、図６Ｂは、図６Ａにおいて破線で示される領域の部分拡大断面図であり、図６Ｃは、図６Ｂにおいて破線で示される領域の部分拡大断面図である。また、図７は、第２凸条１７１および角部１７２の配置を説明するための図である。
【００２４】
図３〜図７に示されるように、光束制御部材１４０は、発光素子１２０から出射された光を入射させる入射領域１４１と、入射領域１４１の反対側に位置し、入射領域１４１で入射した光を出射させる出射領域１４２とを有する。入射領域１４１と出射領域１４２との間には、フランジ１４３が設けられていてもよい。
【００２５】
光束制御部材１４０の平面視形状は、特に限定されない。図４Ａに示されるように、本実施の形態では、光束制御部材１４０の平面視形状は、正方形である。また、本実施の形態における光束制御部材１４０の一辺の長さは、例えば４．７ｍｍ程度である。
【００２６】
入射領域１４１は、発光素子１２０から出射された光を入射させる。入射領域１４１は、入射領域１４１の中央部分に位置する屈折部１５０と、屈折部１５０の外側に位置するフレネルレンズ部１６０と、フレネルレンズ部１６０の外側に位置する最外レンズ部１７０とを有する。入射領域１４１は、２回対称または４回対称である。入射領域１４１の外形は、例えば長方形または正方形である。
【００２７】
屈折部１５０は、発光素子１２０から出射された光の一部（光軸ＬＡに対して小さな角度で出射された光）を光束制御部材１４０内に入射させるとともに、入射した光を出射領域１４２に向かって屈折させる。図２Ａに示されるように、屈折部１５０は、発光素子１２０と対向する位置に、光束制御部材１４０の中心軸ＣＡ（発光素子１２０の光軸ＬＡ）と交わるように配置されている。なお、屈折部１５０の形状は、上記の機能を発揮することができれば、特に限定されない。たとえば、屈折部１５０の形状は、屈折型フレネルレンズであってもよい。また、屈折部１５０の表面は、球面または非球面であってもよい。図２Ａおよび図３に示されるように、本実施の形態では、屈折部１５０の表面は非球面であり、屈折部１５０の形状は略四角錐状である。
【００２８】
フレネルレンズ部１６０は、発光素子１２０から出射された光の一部（光軸ＬＡに対して比較的大きな角度で出射された光）を光束制御部材１４０内に入射させるとともに、入射した光を出射領域１４２に向けて反射させる。フレネルレンズ部１６０は、発光素子１２０から出射された光の進行方向を制御するための複数の第１凸条（凸条）１６１を有する。
【００２９】
図５Ａに示されるように、フレネルレンズ部１６０に、第１仮想四角形（仮想四角形）Ｓ１が配置されていると仮定する。第１仮想四角形Ｓ１の中心Ｏ１（第１対角線Ｌ１の交点）は、光束制御部材１４０の中心軸ＣＡと合致している。第１仮想四角形Ｓ１および４本の第１対角線Ｌ１は、複数の第１凸条１６１の配置の基準となる。複数の第１凸条１６１は、光束制御部材１４０の中心軸ＣＡを囲むように配置される。本実施の形態では、複数の第１凸条１６１は、隣接する２本の第１対角線Ｌ１間を繋ぐように配置される。複数の第１凸条１６１は、直線状であってもよいし、曲線状であってもよい。また、図６Ｂに示されるように、複数の第１凸条１６１は、隣接する２本の第１対角線Ｌ１間の領域において隣接する２つの第１凸条１６１間に谷部が形成されるように配置される。
【００３０】
第１凸条１６１の形状および大きさは、特に限定されず、それぞれ同じであってもよいし、異なっていてもよい。図６Ｂに示されるように、本実施の形態では、複数の第１凸条１６１の大きさは、それぞれ異なっている。また、光軸ＬＡ方向における、光束制御部材１４０の発光素子１２０側の端部と各第１凸条１６１の第１稜線１６５との距離ｄ（基準面から第１稜線１６５までの距離ｄ）は、内側から外側に向かうにつれて徐々に短くなっている。ここで「光束制御部材１４０の発光素子１２０側の端部」とは、後述する第２凸条１７１の頂部（第２稜線１７６）を意味し、「基準面」とは、第２凸条１７１の頂部（第２稜線１７６）を含む平面を意味する。
【００３１】
第１凸条１６１は、第１入射面１６２、第１反射面１６３、第１接続面１６４および第１稜線１６５を有する。図６Ｂに示されるように、第１凸条１６１において、第１入射面１６２は内側（中心軸ＣＡ側）に配置され、第１反射面１６３は外側に配置される。
【００３２】
第１入射面１６２は、発光素子１２０から出射された光の一部を入射させるとともに、第１反射面１６３側に屈折させる。第１入射面１６２は、平面であってもよいし、曲面であってもよい。本実施の形態では、第１入射面１６２は、曲面である。また、第１入射面１６２は、光束制御部材１４０を成形する観点から、中心軸ＣＡに対して僅かに傾斜していることが好ましい。第１入射面１６２は、光束制御部材１４０の発光素子１２０側の端部（基準面）に近づくにつれて、中心軸ＣＡから離れるように傾斜している。第１入射面１６２の傾斜角度は、中心軸ＣＡを含む任意の断面において、中心軸ＣＡに対して０°超であって、１０°以下の範囲内であることが好ましい。第１入射面１６２の傾斜角度は、５°以下であることが好ましく、３°以下であることがさらに好ましい。
【００３３】
第１反射面１６３は、第１入射面１６２と対に形成され、第１入射面１６２で入射した光を出射領域１４２に向けて反射させる。第１反射面１６３は、平面であってもよいし、曲面であってもよい。本実施の形態では、第１反射面１６３は、曲面である。また、第１反射面１６３は、到達した光を全反射させる観点から、中心軸ＣＡに対して傾斜していることが好ましい。第１反射面１６３は、光束制御部材１４０の発光素子１２０側の端部（基準面）に近づくにつれて、中心軸ＣＡに近づくように傾斜している。
【００３４】
第１接続面１６４は、第１入射面１６２および第１反射面１６３の間に配置されている。第１接続面１６４は、第１入射面１６２および第１反射面１６３を繋ぐ。第１接続面１６４は、平面であってもよいし、曲面であってもよい。本実施の形態では、第１接続面１６４は、平面である。また、第１接続面１６４を形成せずに、第１入射面１６２と第１反射面１６３とを直接繋いでもよい。
【００３５】
第１稜線１６５は、第１入射面１６２および第１接続面１６４の境界線である。第１稜線１６５は、第１仮想四角形Ｓ１の隣接する２つの第１対角線Ｌ１を繋ぐように配置されている。なお、第１接続面１６４を形成しない場合、第１稜線１６５は、第１入射面１６２および第１反射面１６３の境界線である。第１入射面１６２と第１反射面１６３との間に第１接続面１６４を設けた場合、鋭角部分を無くすことで、製造性を向上させることができる。入射領域１４１を平面視したとき、第１稜線１６５は、直線であってもよいし、曲線であってもよい。本実施の形態では、入射領域１４１を平面視したとき、第１稜線１６５は、中心軸ＣＡ側に凸の曲線である。
【００３６】
最外レンズ部１７０は、発光素子１２０から出射された光の一部（光軸ＬＡに対して大きな角度で出射された光）を光束制御部材１４０内に入射させるとともに、入射した光を出射領域１４２に向けて反射させる。最外レンズ部１７０は、４つの第２凸条１７１と、４つの角部１７２とを有する。
【００３７】
図５Ｂに示されるように、最外レンズ部１７０に第２仮想四角形Ｓ２が配置されていると仮定する。第２仮想四角形Ｓ２の中心Ｏ２（第２対角線Ｌ２の交点）は、光束制御部材１４０の中心軸ＣＡと合致している。第２仮想四角形Ｓ２は、４つの第２凸条１７１および４つの角部１７２の配置の基準となる。第２仮想四角形Ｓ２は、第１仮想四角形Ｓ１の外側に配置されている。第２仮想四角形Ｓ２および第１仮想四角形Ｓ１は、互いに相似し、同心かつ各辺が平行となるように配置されている。前述の通り、第１稜線１６５は、第１仮想四角形Ｓ１の隣接する２つの第１対角線Ｌ１を繋ぐように配置されていればよい。よって、第１稜線１６５および後述の第２稜線１７６は、曲線で形成される場合もあるため、平行でなくてもよい。
【００３８】
４つの第２凸条１７１は、４つの角部１７２とともに光束制御部材１４０の中心軸ＣＡを囲むように配置される。４つの第２凸条１７１は、第２仮想四角形Ｓ２の各辺上にそれぞれ配置されている。当該第２凸条１７１が配置されている辺に直交する面の第２凸条１７１の断面積は、当該第２凸条１７１が配置されている辺に直交する面の第１凸条１６１の断面積より大きい。第２凸条１７１の両端には、角部１７２がそれぞれ接続されている。第２仮想四角形Ｓ２の辺と平行な方向における第２凸条１７１の長さは、最も外側に配置された第１凸条１６１の長さより短い。光束制御部材１４０が上記の発光装置１００に用いられる場合、第２仮想四角形Ｓ２の辺と平行な方向における第２凸条１７１の長さは、発光装置１００に用いられる発光素子１２０の幅より長いことが好ましい。
【００３９】
第２凸条１７１は、略三角柱形状に形成されている。当該第２凸条１７１が配置されている辺に直交する面の第２凸条１７１の断面形状は、略三角形である。図６Ｂに示されるように、４つの第２凸条１７１は、それぞれ、第２入射面１７３、第２反射面１７４、第２接続面１７５、第２稜線１７６および突起部１８１を有する。第２凸条１７１において、第２入射面１７３は内側（中心軸ＣＡ側）に配置され、第２反射面１７４は外側に配置される。
【００４０】
第２入射面１７３は、発光素子１２０から出射された光を入射させるとともに、第２反射面１７４側に屈折させる。第２入射面１７３は、平面であってもよいし、曲面であってもよい。本実施の形態では、第２入射面１７３は、平面である。また、第２入射面１７３は、中心軸ＣＡに平行な垂直面であってもよいし、中心軸ＣＡに対して傾斜している傾斜面であってもよい。本実施の形態では、第２入射面１７３は、光束制御部材１４０の発光素子１２０側の端部（基準面）に近づくにつれて、中心軸ＣＡから離れるように傾斜している。
【００４１】
第２反射面１７４は、第２入射面１７３と対に形成され、第２入射面１７３で入射した光を出射領域１４２に向けて反射させる。第２反射面１７４は、複数の分割反射面１７７および段差面１７８を有する。分割反射面１７７は、中心軸ＣＡに直交する方向において互いに離間して配置されている。具体的には、分割反射面１７７および段差面１７８は、発光素子１２０側から出射領域１４２側に向かって、第２反射面１７４の表面をなぞるように交互に配置されている。
【００４２】
分割反射面１７７は、第２入射面１７３で入射した光を出射領域１４２に向かって反射させる。分割反射面１７７は、第２凸条１７１の延在方向と平行に配置されている。分割反射面１７７の数は、複数であれば特に限定されない。本実施の形態では、分割反射面１７７の数は、３つである。分割反射面１７７は、第２凸条１７１の延在方向の一方の端部から他方の端部まで、同じ幅で形成されていてもよいし、異なる幅で形成されていてもよい。本実施の形態では、分割反射面１７７は、一端から他端まで同じ幅に形成されている。また、複数の分割反射面１７７は、全て同じ幅に形成されていてもよいし、それぞれ異なる幅に形成されていてもよい。本実施の形態では、複数の分割反射面１７７は、それぞれ異なる幅に形成されている。また、分割反射面１７７は、平面であってもよいし、曲面であってもよい。本実施の形態では、分割反射面１７７は、平面である。具体的には、分割反射面１７７は、中心軸ＣＡに直交する断面（水平断面）において直線である。また、分割反射面１７７は、中心軸ＣＡを含む断面（垂直断面）において直線である。分割反射面１７７は、光束制御部材１４０の発光素子１２０側の端部（基準面）に近づくにつれて、中心軸ＣＡに近づくように傾斜している。
【００４３】
段差面１７８は、隣接する２つの分割反射面１７７の間に配置されている。本実施の形態では、段差面１７８は、第１段差面１７９および第２段差面１８０を有する。第１段差面１７９は、突起部１８１の内側に突起部１８１に隣接して配置されている。第２段差面１８０は、突起部１８１の外側に突起部１８１に隣接して配置されている。また、本実施の形態では、中心軸ＣＡに沿う方向において、第１段差面１７９と突起部１８１の先端部との間隔、および第２段差面１８０と突起部１８１の先端部との間隔は、同じである。段差面１７８は、第２入射面１７３で入射した光の進行方向に対して死角の位置に配置されている。ここで、「死角」とは、入射した光が直接的に通ることのない領域をいう。すなわち、第２入射面１７３で入射した光は、段差面１７８に直接的に到達しない。段差面１７８の数は、１つまたは２つ以上である。例えば、分割反射面１７７が２つの場合には、段差面１７８は１つである。また、分割反射面１７７が３つの場合には、段差面１７８は２つである。段差面１７８は、第２凸条１７１の延在方向の一方の端部から他方の端部まで、同じ幅で形成されていてもよいし、異なる幅で形成されていてもよい。本実施の形態では、段差面１７８は、分割反射面１７７の幅に対応して形成されている。また、段差面１７８は、平面であってもよいし、曲面であってもよい。本実施の形態では、段差面１７８は、平面である。段差面１７８の傾斜角度は、第２入射面１７３で入射した光が直接的に到達しなければ特に限定されない。図８Ｂに示されるように、段差面１７８の傾斜角度は、第２仮想四角形Ｓ２に直交する方向の直線を含む断面において、第２入射面１７３で入射した光のうち、分割反射面１７７の上端部（出射領域１４２側の端部）を進行する光と、第２仮想四角形Ｓ２に垂直な方向の直線（中心軸ＣＡ）とがなす角度より大きい。本実施の形態では、段差面１７８の第２仮想四角形Ｓ２に垂直な方向の直線に対する角度は、９０°（第２仮想四角形Ｓ２と平行）である。
【００４４】
第２稜線１７６は、第２入射面１７３および第２接続面１７５の境界線である。なお、第２稜線１７６は、第２接続面１７５を形成しない場合、第２入射面１７３および第２反射面１７４（分割反射面１７７）の境界線である。このように、第２入射面１７３と第２反射面１７４との間に第２接続面１７５を設けた場合、鋭角部分を無くすことで、製造性を向上させることができる。また、図７に示されるように、第２稜線１７６の端部間距離ｄ１は、最も外側に位置する第１凸条１６１の第１稜線１６５の端部間距離ｄ２よりも短い。また、光束制御部材１４０が上記の発光装置１００に用いられる場合、第２稜線１７６の端部間距離ｄ１は、発光装置１００に用いられる発光素子１２０の幅より長いことが好ましい。
【００４５】
突起部１８１は、段差面１７８から中心軸ＣＡに沿う方向に突出している凸部である。図２Ｂに示されるように、突起部１８１は、光束制御部材１４０を支持部１３０に接着するときの被接着部となる。突起部１８１は、段差面１７８に形成されており、第２入射面１７３で入射した光に対して死角に位置するため、発光装置１００の光学性能に影響を与えない。突起部１８１は、第１段差面１７９および第２段差面１８０の間に配置されている。中心軸ＣＡに沿う方向において、突起部１８１の先端部は、光束制御部材１４０の発光素子１２０側の端部（基準面）よりも出射領域１４２側に位置する。突起部１８１の高さは、前述の要件を満たせば特に限定されない。
【００４６】
突起部１８１の形状は、支持部１３０と接着されることができ、かつ接着剤１３１が光学面（分割反射面１７７）に付着することを防ぐことができれば特に限定されない。突起部１８１の形状は、例えば角柱、半円柱、角筒、円筒などである。本実施の形態では、突起部１８１の形状は、第２稜線１７６の長さ方向に段差面１７８と略同一の長さを有する四角柱である。また、突起部１８１の位置および数は、支持部１３０上に光束制御部材１４０を適切に固定することができれば特に限定されない。本実施の形態では、１つの段差面１７８につき１つの突起部１８１が配置されている。
【００４７】
４つの角部１７２は、第２仮想四角形Ｓ２の四隅にそれぞれ配置されている。角部１７２は、第２仮想四角形Ｓ２の中心Ｏ２側に頂点が配置された略錐体の一部である。角部１７２は、第３入射面１８２、第３反射面１８３および第３稜線１８４を有する。ここで「略錐体（錐状体）」とは、頂点から底面の外周縁を直線または曲線で結ぶことにより形成される立体形状をいう。略錐体（錐状体）の例には、角錐、頂点と底面の周上の点とを結ぶ線が外側に凸の略角錐、頂点と底面の周上の点とを結ぶ線が内側に凸の略角錐、円錐、母線が外側に凸の略円錐、母線が内側に凸の略円錐などが含まれる。本実施の形態では、略錐体（錐状体）は、母線が外側に凸の略円錐である。
【００４８】
第３入射面１８２は、発光素子１２０から出射された光の残部のさらに一部を入射させるとともに、第３反射面１８３側に屈折させる。第３入射面１８２は、平面であってもよいし、曲面であってもよい。本実施の形態では、第３入射面１８２は、２つの平面からなる。また、２つの平面は、それぞれ中心軸ＣＡに対して傾斜していることが好ましい。２つの平面は、それぞれ光束制御部材１４０の発光素子１２０側の端部（基準面）に近づくにつれて、中心軸ＣＡから離れるように傾斜している。また、第３入射面１８２を構成する２つの平面は、それぞれ隣接する第２入射面１７３と同一平面上に形成されていてもよい。
【００４９】
第３反射面１８３は、第３入射面１８２と対に形成され、第３入射面１８２で入射した光を出射領域１４２に向けて反射させる。本実施の形態では、第３反射面１８３は、曲面である。第３反射面１８３の中心軸ＣＡに直交する断面（水平断面）における外側縁部は、外側に凸となるような曲線である。また、第３反射面１８３の中心軸ＣＡを含む断面（垂直断面）における外側縁部も、外側に凸となるような曲線である。第３反射面１８３は、略円錐の側面の一部に対応し、隣接する２つの第２反射面１７４間を繋ぐように接続する。
【００５０】
第３稜線１８４は、第３入射面１８２および第３反射面１８３の境界線である。第３稜線１８４は、後述するように、第２凸条１７１側から第２仮想四角形Ｓ２の第２対角線Ｌ２に近づくにつれて、出射領域１４２との距離が漸減するように形成された曲線である。また、図７に示されるように、入射領域１４１を平面視した場合に、第３反射面１８３の最外縁と第３稜線１８４との距離ｄ３は、第２仮想四角形Ｓ２の第２対角線Ｌ２に近づくにしたがって漸減する。このように角部１７２と第２仮想四角形Ｓ２の第２対角線Ｌ２とが交わる位置には、凹み部分が形成されている。なお、第３入射面１８２および第３反射面の境界を面取りすることにより接続面（第３接続面）を形成してもよい。この場合、第３稜線１８４は、第３入射面１８２および第３接続面の境界線である。
【００５１】
図２Ａに示されるように、出射領域１４２は、発光素子１２０とは反対側の、被照射領域側に形成された平面である。出射領域１４２は、光束制御部材１４０の中心軸ＣＡと交わるように形成されている。出射領域１４２は、屈折部１５０で入射した光、第１入射面１６２で入射し、第１反射面１６３で反射した光、第２入射面１７３で入射し、第２反射面１７４で反射した光および第３入射面１８２で入射し、第３反射面１８３で反射した光を被照射領域に向けて出射させる。
【００５２】
図８は、光束制御部材１４０内における光路図の一部である。図８Ａは、図４Ｂに示されるＡ−Ａ線の断面図の一部における光の光路を示しており、図８Ｂは、図８Ａにおいて一点鎖線で示される領域の部分拡大図である。図８Ａおよび図８Ｂでは、光路を示すために、ハッチングを省略している。
【００５３】
図８Ａに示されるように、第２入射面１７３で入射した光は、第２反射面１７４に向けて屈折する。そして、第２反射面１７４の分割反射面１７７に到達した光は、出射領域１４２に向かって反射される。このとき、図８Ｂに示されるように、段差面１７８は、入射した光の進行方向に対して死角（図８Ｂの網掛け部分参照）に位置する（反射面や屈折面として機能しない。）。すなわち、第２入射面１７３で入射した光は、段差面１７８に直接的に到達しない。
【００５４】
前述のとおり、突起部１８１は段差面１７８に形成されているため、突起部１８１は、光束制御部材１４０の配光の制御に影響を及ぼさない。また、前述のとおり、突起部１８１は、接着剤１３１により支持部１３０に接着される。これにより、第２反射面１７４の出射領域１４２側の端部より内側（光学面内）において、基板１１０（支持部１３０）と光束制御部材１４０とを固定することができる。より具体的には、図２Ｂに示されるように、突起部１８１の外周面および支持部１３０の端面が接着剤１３１により接着される。突起部１８１の外周面に接着剤１３１を塗布することによって、接着剤１３１が突起部１８１の内側に回り込み、光学面（分割反射面１７７）に付着することを防止することができる。これに対し、特許文献１に記載されている従来の光束制御部材（フレネルレンズ）１０では、レンズ部１４への接着剤３０の付着を防ぐために、被接着部が光束制御部材１０の光学面の外側に配置されている。このため、光束制御部材１０は、大型化してしまう。すなわち、本発明に係る光束制御部材１４０は、大型化することなく接着剤１３１の付着による光学性能の低下を防ぐことができる。なお、第２入射面１７３で入射した光に対して死角に位置していれば、接着剤１３１は、第２反射面１７４に付着してもよい。
【００５５】
（照明装置の構成）
次に、本実施の形態に係る発光装置１００を有する照明装置５００について説明する。
【００５６】
図９は、本実施の形態に係る照明装置５００の構成を示す図である。図９に示されるように、照明装置５００は、発光装置１００およびカバー５１０を有する。前述したように、発光装置１００は、基板１１０、発光素子１２０、支持部１３０および光束制御部材１４０を含む。
【００５７】
カバー５１０は、発光装置１００からの出射光を拡散させつつ透過させるとともに、発光装置１００を保護する。カバー５１０は、発光装置１００から出射される光の光路上に配置されている。カバー５１０の材料は、上記の機能を発揮することができれば特に限定されない。カバー５１０の材料は、ポリメタクリル酸メチル（ＰＭＭＡ）やポリカーボネート（ＰＣ）、エポキシ樹脂（ＥＰ）などの光透過性樹脂、またはガラスである。
【００５８】
（効果）
以上のように、本実施の形態に係る光束制御部材１４０では、光束制御部材１４０を基板１１０（支持部１３０）に固定するための突起部１８１（被接着部）が、光学面内であり、かつ第２入射面１７３で入射した光に対して死角となる位置に配置されている。したがって、本実施の形態に係る光束制御部材１４０は、大型化することなく、基板１１０に固定される際の接着剤１３１の付着による光学性能の低下を防ぐことができる。さらに、この光束制御部材１４０を有する発光装置１００および照明装置５００は、大型化することなく、高い歩留まりで製造されうる。
【００５９】
なお、本実施の形態では、４つの角部１７２の第３反射面１８３の全てが、光束制御部材１４０の中心軸ＣＡ上に頂点を有する１つの略円錐の側面の一部である（光束制御部材１４０の中心軸ＣＡと略円錐の中心軸が一致している）として説明した。しかしながら、４つの第３反射面１８３は、それぞれ中心軸の異なる略錐体の側面の一部であってもよい。
【００６０】
［実施の形態２］
実施の形態２に係る発光装置および照明装置は、光束制御部材２４０の形状が実施の形態１に係る発光装置１００および照明装置５００とそれぞれ異なる。実施の形態２に係る光束制御部材２４０は、最外レンズ部２７０の第２反射面２７４における段差面２７８の形状のみが、実施の形態１に係る光束制御部材１４０と異なる。そこで、実施の形態１に係る発光装置１００および照明装置５００と同一の構成要素については、同一の符号を付してその説明を省略し、光束制御部材１４０と異なる構成要素を中心に説明する。
【００６１】
（光束制御部材および発光装置の構成）
図１０および図１１は、実施の形態２に係る光束制御部材２４０の構成を示す図である。図１０は、実施の形態２に係る光束制御部材２４０の斜視図である。図１１Ａは、光束制御部材２４０の底面図であり、図１１Ｂは、図１１Ａに示されるＡ−Ａ線の断面図であり、図１１Ｃは、図１１Ｂにおいて破線で示される領域の部分拡大断面図である。
【００６２】
図１０および図１１に示されるように、実施の形態２に係る光束制御部材２４０の入射領域２４１は、屈折部１５０、フレネルレンズ部１６０および最外レンズ部２７０を有する。
【００６３】
最外レンズ部２７０は、４つの第２凸条２７１と、４つの角部１７２とを有する。４つの第２凸条２７１は、それぞれ、第２入射面１７３、第２反射面２７４および突起部２８１を有する。第２反射面２７４は、分割反射面２７７および段差面２７８を有する。分割反射面２７７は、中心軸ＣＡに直交する方向において互いに中心軸ＣＡに沿う方向において互いに離間して配置されている。具体的には、分割反射面２７７および段差面２７８は、発光素子１２０側から出射領域１４２側に向かって、第２反射面２７４の表面において交互に配置されている。
【００６４】
図１１Ｃに示されるように、実施の形態２に係る光束制御部材２４０の段差面２７８は、第１段差面２７９および第２段差面２８０を有する。本実施の形態では、光束制御部材２４０の中心軸ＣＡに沿う方向において、第２段差面２８０と突起部２８１の先端部との間隔は、第１段差面２７９と突起部２８１の先端部との間隔よりも長い。これにより、突起部２８１の外周面と、支持部１３０とを接着する際の接着剤１３１溜りとして利用可能な空間を大きくすることができる。したがって、接着剤１３１が第２反射面２７４に付着するのを抑制することができる。さらに、より安定に光束制御部材２４０と基板１１０（支持部１３０）とを固定することもできる。光束制御部材２４０中心軸ＣＡに沿う方向において、第１段差面２７９および第２段差面２８０の間隔は、第２段差面２８０が第２入射面１７３で入射した光の進行方向に対して死角に位置していれば特に限定されない。光束制御部材２４０の中心軸ＣＡに沿う方向において、第１段差面２７９と、第２段差面２８０との間隔は、例えば１０μｍ以上かつ５０μｍ以下であることが好ましい。
【００６５】
（効果）
以上のように、本実施の形態に係る光束制御部材２４０は、大型化することなく、基板１１０（支持部１３０）に固定される際の接着剤１３１の付着による光学性能の低下を防ぐことができることに加えて、さらに光束制御部材２４０および基板１１０（支持部１３０）をより安定に固定することができる。
【００６６】
［実施の形態３］
（光束制御部材および発光装置の構成）
実施の形態３に係る発光装置および照明装置は、光束制御部材３４０の形状が実施の形態１に係る発光装置１００および照明装置５００とそれぞれ異なる。実施の形態３に係る光束制御部材３４０は、最外レンズ部３７０の第２反射面３７４における段差面３７８の形状のみが、実施の形態１に係る光束制御部材１４０と異なる。そこで、実施の形態１に係る発光装置１００および照明装置５００と同一の構成要素については、同一の符号を付してその説明を省略し、光束制御部材１４０と異なる構成要素を中心に説明する。
【００６７】
図１２および図１３は、実施の形態３に係る光束制御部材３４０の構成を示す図である。図１２は、実施の形態３に係る光束制御部材３４０の斜視図である。図１３Ａは、光束制御部材３４０の底面図であり、図１３Ｂは、図１３Ａに示されるＡ−Ａ線の断面図であり、図１３Ｃは、図１３Ｂにおいて破線で示される領域の部分拡大断面図である。
【００６８】
図１２および図１３に示されるように、実施の形態３に係る光束制御部材３４０の入射領域３４１は、屈折部１５０、フレネルレンズ部１６０および最外レンズ部３７０を有する。
【００６９】
最外レンズ部３７０は、４つの第２凸条３７１と、４つの角部１７２とを有する。４つの第２凸条３７１は、それぞれ、第２入射面１７３、第２反射面３７４および突起部３８１を有する。第２反射面３７４は、分割反射面３７７および段差面３７８を有する。分割反射面３７７は、中心軸ＣＡに直交する方向において互いに離間して配置されている。具体的には、分割反射面３７７および段差面３７８は、発光素子１２０側から出射領域１４２側に向かって、第２反射面３７４の表面において交互に配置されている。
【００７０】
図１３Ｃに示されるように、実施の形態３に係る光束制御部材３４０の突起部３８１は、段差面３７８の外周部に配置されている。この場合でも、段差面３７８および突起部３８１は、第２入射面１７３で入射した光の進行方向に対して死角に位置している。
【００７１】
（効果）
実施の形態３に係る発光装置および照明装置は、実施の形態１と同様の効果を有する。
【００７２】
［実施の形態４］
（光束制御部材および発光装置の構成）
実施の形態４に係る発光装置および照明装置は、光束制御部材４４０の形状が実施の形態１に係る発光装置１００および照明装置５００とそれぞれ異なる。実施の形態４に係る光束制御部材４４０は、平面視形状が円形である点が、実施の形態１に係る光束制御部材１４０と異なる。そこで、実施の形態１に係る発光装置１００および照明装置５００と同一の構成要素については、その説明を省略し、光束制御部材１４０と異なる構成要素を中心に説明する。
【００７３】
図１４〜図１６は、実施の形態４に係る光束制御部材４４０の構成を示す図である。図１４は、実施の形態４に係る光束制御部材４４０の斜視図である。図１５Ａは、光束制御部材４４０の平面図であり、図１５Ｂは、光束制御部材４４０の底面図あり、図１５Ｃは、光束制御部材４４０の側面図である。図１６Ａは、図１５Ｂに示されるＡ−Ａ線の断面図であり、図１６Ｂは、図１６Ａにおいて破線で示される領域の部分拡大断面図であり、図１６Ｃは、図１６Ｂにおいて破線で示される領域の部分拡大断面図である。
【００７４】
図１４〜図１６に示されるように、光束制御部材４４０は、発光素子１２０（図示省略）から出射された光を入射させる入射領域４４１と、入射領域４４１の反対側に位置し、入射した光を出射させる出射領域４４２とを有する。入射領域４４１と出射領域４４２との間には、フランジ４４３が設けられていてもよい。
【００７５】
図１５Ａに示されるように、本実施の形態では、光束制御部材４４０の平面視形状は、円形である。また、本実施の形態における光束制御部材４４０の直径は、例えば４．７ｍｍ程度である。
【００７６】
入射領域４４１は、発光素子１２０から出射された光を入射させる。入射領域４４１は、入射領域４４１の中央部分に位置する屈折部４５０と、屈折部４５０の外側に位置するフレネルレンズ部４６０と、フレネルレンズ部４６０の外側に位置する最外レンズ部４７０とを有する。本実施の形態では、入射領域４４１の外形は、円形である。
【００７７】
屈折部４５０は、発光素子１２０から出射された光の一部（光軸ＬＡに対して小さな角度で出射された光）を光束制御部材４４０内に入射させるとともに、入射した光を出射領域４４２に向かって屈折させる。図１６Ａに示されるように、屈折部４５０は、発光素子１２０と対向する位置に、光束制御部材４４０の中心軸ＣＡ（発光素子１２０の光軸ＬＡ）と交わるように配置されている。なお、屈折部４５０の形状は、上記の機能を発揮することができれば、特に限定されない。本実施の形態では、屈折部４５０の表面は非球面であり、屈折部４５０の形状は略円錐状である。
【００７８】
フレネルレンズ部４６０は、発光素子１２０から出射された光の一部（光軸ＬＡに対して比較的大きな角度で出射された光）を光束制御部材４４０内に入射させるとともに、入射した光を出射領域４４２に向けて反射させる。本実施の形態では、フレネルレンズ部４６０は、光束制御部材４４０の中心軸ＣＡを全周に亘って囲うように配置されている。フレネルレンズ部４６０は、発光素子１２０から出射された光の進行方向を制御するための複数の第１凸条４６１を有する。
【００７９】
複数の第１凸条４６１は、光束制御部材４４０の中心軸ＣＡを全周に亘って囲うように配置されている。また、図１６Ｂに示されるように、複数の第１凸条４６１は、隣接する２つの第１凸条４６１間に谷部が形成されるように配置される。第１凸条４６１は、第１入射面４６２、第１反射面４６３、第１接続面４６４および第１稜線４６５を有する。図１６Ｂに示されるように、第１凸条４６１において、第１入射面４６２は内側（中心軸ＣＡ側）に配置され、第１反射面４６３は外側に配置される。
【００８０】
第１入射面４６２は、発光素子１２０から出射された光の一部を入射させるとともに、第１反射面４６３側に屈折させる。第１入射面４６２は、中心軸ＣＡを全周に亘って囲うように配置されている。このため、本実施の形態では、第１入射面４６２は、曲面である。光束制御部材４４０を成形する観点から、中心軸ＣＡに対して僅かに傾斜していることが好ましい。
【００８１】
第１反射面４６３は、第１入射面４６２と対に形成され、第１入射面４６２で入射した光を出射領域４４２に向けて反射させる。第１反射面４６３は、中心軸ＣＡを全周に亘って囲うように配置されている。このため、本実施の形態では、第１反射面４６３は、曲面である。また、第１反射面４６３は、到達した光を全反射させる観点から、中心軸ＣＡに対して傾斜していることが好ましい。第１反射面４６３は、光束制御部材４４０の発光素子１２０側の端部（基準面）に近づくにつれて、中心軸ＣＡに近づくように傾斜している。
【００８２】
第１接続面４６４は、第１入射面４６２および第１反射面４６３の間に配置されている。第１接続面４６４は、第１入射面４６２および第１反射面４６３を繋ぐ。第１接続面４６４は、平面であってもよいし、曲面であってもよい。また、第１接続面４６４を形成せずに、第１入射面４６２と第１反射面４６３とを直接繋いでもよい。
【００８３】
第１稜線４６５は、第１入射面４６２および第１接続面４６４の境界線である。なお、第１接続面４６４を形成しない場合、第１稜線４６５は、第１入射面４６２および第１反射面４６３の境界線である。本実施の形態では、入射領域４４１を平面視したとき、第１稜線４６５は、円形である。
【００８４】
最外レンズ部４７０は、発光素子１２０から出射された光の一部（光軸ＬＡに対して大きな角度で出射された光）を光束制御部材４４０内に入射させるとともに、入射した光を出射領域４４２に向けて反射させる。最外レンズ部４７０は、１つの第２凸条４７１からなる。最外レンズ部４７０（第２凸条４７１）は、光束制御部材４４０の中心軸ＣＡを全周に亘って囲うように配置されている。
【００８５】
中心軸ＣＡを含む断面（垂直断面）における第２凸条４７１の断面形状は、略三角形である。図１６Ｂに示されるように、第２凸条４７１は、第２入射面４７３、第２反射面４７４、第２接続面４７５、第２稜線４７６および突起部４８１を有する。第２凸条４７１において、第２入射面４７３は内側（中心軸ＣＡ側）に配置され、第２反射面４７４は外側に配置される。
【００８６】
第２入射面４７３は、発光素子１２０から出射された光を入射させるとともに、第２反射面４７４側に屈折させる。第２入射面４７３は、光束制御部材４４０の中心軸ＣＡを全周に亘って囲うように配置されている。このため、本実施の形態では、第２入射面４７３は、曲面である。また、第２入射面４７３は、中心軸ＣＡに平行な垂直面であってもよいし、中心軸ＣＡに対して傾斜している傾斜面であってもよい。本実施の形態では、第２入射面４７３は、光束制御部材４４０の発光素子１２０側の端部（基準面）に近づくにつれて、中心軸ＣＡから離れるように傾斜している。
【００８７】
第２反射面４７４は、第２入射面４７３と対に形成され、第２入射面４７３で入射した光を出射領域４４２に向けて反射させる。第２反射面４７４は、光束制御部材４４０の中心軸ＣＡを全周に亘って囲うように配置されている。第２反射面４７４は、複数の分割反射面４７７および段差面４７８を有する。分割反射面４７７は、中心軸ＣＡに直交する方向において互いに離間して配置されている。具体的には、分割反射面４７７および段差面４７８は、発光素子１２０側から出射領域４４２側に向かって、第２反射面４７４の表面をなぞるように交互に配置されている。
【００８８】
分割反射面４７７は、第２入射面４７３で入射した光を出射領域４４２に向かって反射させる。分割反射面４７７の数は、複数であれば特に限定されない。本実施の形態では、分割反射面４７７の数は、３つである。分割反射面４７７は、中心軸ＣＡを全周に亘って囲うように形成されている。分割反射面４７７は、光束制御部材４４０の発光素子１２０側の端部（基準面）に近づくにつれて、中心軸ＣＡに近づくように傾斜している。
【００８９】
段差面４７８は、隣接する２つの分割反射面４７７の間に配置されている。本実施の形態では、段差面４７８は、第１段差面４７９および第２段差面４８０を有する。第１段差面４７９は、突起部４８１の内側に突起部４８１に隣接して配置されている。第２段差面４８０は、突起部４８１の外側に突起部４８１に隣接して配置されている。また、本実施の形態では、中心軸ＣＡに沿う方向において、第１段差面４７９と突起部４８１の先端部との間隔、および第２段差面４８０と突起部４８１の先端部との間隔は、同じである。段差面４７８は、第２入射面４７３で入射した光の進行方向に対して死角の位置に配置されている。段差面４７８の数は、１つまたは２つ以上である。段差面４７８は、中心軸ＣＡを全周に亘って囲うように形成されていてもよいし、全周に亘って囲うように形成されていなくてもよい。本実施の形態では、段差面４７８は、中心軸ＣＡを全周に亘って囲うように形成されている。段差面４７８は、平面であってもよいし、曲面であってもよい。本実施の形態では、段差面４７８は、平面である。段差面４７８の傾斜角度は、第２入射面４７３で入射した光が直接的に到達しなければ特に限定されない。本実施の形態では、段差面４７８の中心軸ＣＡに対する角度は、９０°である。
【００９０】
第２稜線４７６は、第２入射面４７３および第２接続面４７５の境界線である。なお、第２稜線４７６は、第２接続面４７５を形成しない場合、第２入射面４７３および第２反射面４７４（分割反射面４７７）の境界線である。本実施の形態では、入射領域４４１を平面視したとき、第２稜線４７６は、円形である。
【００９１】
突起部４８１は、段差面４７８から中心軸ＣＡに沿う方向に突出している凸部である。突起部４８１は、光束制御部材４４０と基板とを固定するときの被接着部となる。突起部４８１は、段差面４７８に形成されており、第２入射面４７３で入射した光に対して死角に位置するため、発光装置の光学性能に影響を与えない。突起部４８１は、第１段差面４７９および第２段差面４８０の間に配置されている。中心軸ＣＡに沿う方向において、突起部４８１の先端部は、光束制御部材４４０の発光素子４２０側の端部（基準面）よりも出射領域４４２側に位置する。突起部４８１の高さは、前述の要件を満たせば特に限定されない。
【００９２】
突起部４８１は、中心軸ＣＡを全周に亘って囲うように形成されていてもよいし、全周に亘って囲うように形成されていなくてもよい。本実施の形態では、中心軸ＣＡを含む断面（垂直断面）において、その断面形状が矩形である１つの突起部４８１が、中心軸ＣＡを全周に亘って囲うように形成されている。
【００９３】
図１６Ａに示されるように、出射領域４４２は、発光素子１２０とは反対側の、被照射領域側に形成された平面である。出射領域４４２は、光束制御部材４４０の中心軸ＣＡと交わるように形成されている。出射領域４４２は、屈折部４５０で入射した光、第１入射面４６２で入射し、第１反射面４６３で反射した光、および第２入射面４７３で入射し、第２反射面４７４で反射した光を被照射領域に向けて出射させる。
【００９４】
（効果）
実施の形態４に係る発光装置および照明装置は、被照射領域を円形形状に照らすこと以外は、実施の形態１と同様の効果を有する。
【００９５】
なお、本実施の形態では、中心軸ＣＡに沿う方向において、第１段差面４７９と突起部４８１の先端部との間隔および第２段差面４８０と突起部４８１の先端部との間隔が同じである光束制御部材４４０について説明した。しかし、第２段差面と突起部の先端部との間隔は、第１段差面と突起部の先端部との間隔より長くてもよい。また、第２の段差面を有さず、突起部が、第１の段差面の外周部に配置されていてもよい。
【００９６】
また、本実施の形態では、その平面視形状が円形である光束制御部材４４０について説明したが、光束制御部材４４０の平面視形状は楕円形であってもよい。
【００９７】
また、実施の形態１〜３において、第１凸条１６１の第１稜線１６５は、直線であってもよいし、外側に凸の曲線であってもよい。
【産業上の利用可能性】
【００９８】
本発明に係る光束制御部材は、大型化することなく、基板に固定される際の光学性能の低下を防ぐことができる。この光束制御部材を有する発光装置および照明装置は、大型化することなく、高い歩留まりで製造されうる。本発明に係る発光装置は、例えば、カメラのフラッシュなどとして有用である。また、本発明に係る照明装置は、例えば、室内の一般照明、液晶パネルを被照射面とする面光源装置などとして有用である。
【符号の説明】
【００９９】
１０  フレネルレンズ
１２  基板
１４  レンズ部
１６  突出部
１８  支持台取付面
２０  支持台
３０  接着剤
１００  発光装置
１１０  基板
１２０  発光素子
１３０  支持部
１３１  接着剤
１４０、２４０、３４０、４４０  光束制御部材
１４１、２４１、３４１、４４１  入射領域
１４２、４４２  出射領域
１４３、４４３  フランジ
１５０、４５０  屈折部
１６０、４６０  フレネルレンズ部
１６１、４６１  第１凸条
１６２、４６２  第１入射面
１６３、４６３  第１反射面
１６４、４６４  第１接続面
１６５、４６５  第１稜線
１７０、２７０、３７０、４７０  最外レンズ部
１７１、２７１、３７１、４７１  第２凸条
１７２  角部
１７３、４７３  第２入射面
１７４、２７４、３７４、４７４  第２反射面
１７５、４７５  第２接続面
１７６、４７６  第２稜線
１７７、２７７、３７７、４７７  分割反射面
１７８、２７８、３７８、４７８  段差面
１７９、２７９、４７９  第１段差面
１８０、２８０、４８０  第２段差面
１８１、２８１、３８１、４８１  突起部
１８２  第３入射面
１８３  第３反射面
１８４  第３稜線
５００  照明装置
５１０  カバー
Ｌ１  第１対角線
Ｌ２  第２対角線
Ｓ１  第１仮想四角形
Ｓ２  第２仮想四角形
ＣＡ  中心軸
ＬＡ  光軸
【図１】
2015212762.tif 000003
【図２】
2015212762.tif 000004
【図３】
2015212762.tif 000005
【図４】
2015212762.tif 000006
【図５】
2015212762.tif 000007
【図６】
2015212762.tif 000008
【図７】
2015212762.tif 000009
【図８】
2015212762.tif 000010
【図９】
2015212762.tif 000011
【図１０】
2015212762.tif 000012
【図１１】
2015212762.tif 000013
【図１２】
2015212762.tif 000014
【図１３】
2015212762.tif 000015
【図１４】
2015212762.tif 000016
【図１５】
2015212762.tif 000017
【図１６】
2015212762.tif 000018